(57)【特許請求の範囲】
【請求項１】
複数ページの画像を１枚の用紙に印刷する要求を受け付ける受付手段と、
前記要求に応じて、前記複数ページの画像のそれぞれを第１の部分と第２の部分に分割する加工手段と、
前記要求に応じて印刷手段に印刷処理を実行させる制御手段とを備え、
前記制御手段は、
前記複数ページの画像のそれぞれの前記第１の部分を用紙に印刷する第１の印刷処理と、
前記第１の印刷処理の後、所定の操作に応じて、前記複数ページの画像のそれぞれの前記第２の部分を当該第１の印刷処理により前記第１の部分が印刷された用紙に印刷する第２の印刷処理とを前記印刷手段に実行させる
印刷制御装置。
【請求項２】
前記加工手段は、前記複数ページの画像のそれぞれから所定の条件を満たす領域を抽出し、当該領域を前記第１の部分として用いる
請求項１に記載の印刷制御装置。
【請求項３】
前記加工手段は、面積が前記第２の部分の面積よりも小さくなるように前記第１の部分を抽出する
請求項１又は請求項２に記載の印刷制御装置。
【請求項４】
前記加工手段は、色材の使用量が前記第２の部分よりも少なくなるように前記第１の部分を抽出する
請求項１から請求項３までのいずれか１項に記載の印刷制御装置。
【請求項５】
前記複数ページの画像の前記第２の部分のそれぞれを記録する記録手段を備え、
前記印刷手段は、前記第２の印刷処理において、前記記録手段により記録された前記第２の部分のそれぞれを前記用紙に印刷する
請求項１から請求項４までのいずれか１項に記載の印刷制御装置。
【請求項６】
複数ページの画像を１枚の用紙に印刷する要求を受け付ける受付手段と、
前記要求に応じて、前記複数ページの画像のそれぞれを第１の部分と第２の部分に分割する加工手段と、
前記要求に応じて前記用紙に画像を印刷する印刷手段とを備え、
前記印刷手段は、
前記複数ページの画像のそれぞれの前記第１の部分を用紙に印刷する第１の印刷処理と、
前記第１の印刷処理の後、所定の操作に応じて、前記複数ページの画像のそれぞれの前記第２の部分を前記第１の印刷処理により前記第１の部分が印刷された用紙に印刷する第２の印刷処理とを実行する
印刷装置。
【請求項７】
印刷される用紙が前記第１の部分が印刷された用紙であるか判定する判定手段を備え、
前記印刷手段は、印刷される用紙が前記第１の部分が印刷された用紙であると前記判定手段が判定した場合に、前記第２の印刷処理を実行する
請求項６に記載の印刷装置。
【請求項８】
印刷装置と印刷制御装置とを備え、
前記印刷装置は、
用紙に画像を印刷する印刷手段を備え、
前記印刷制御装置は、
複数ページの画像を１枚の用紙に印刷する要求を受け付ける受付手段と、
前記要求に応じて、前記複数ページの画像のそれぞれを第１の部分と第２の部分に分割する加工手段と、
前記要求に応じて前記印刷装置に印刷処理を実行させる制御手段とを備え、
前記制御手段は、
前記複数ページの画像のそれぞれの前記第１の部分を用紙に印刷する第１の印刷処理と、
前記第１の印刷処理の後、所定の操作に応じて、前記複数ページの画像のそれぞれの前記第２の部分を前記第１の印刷処理により前記第１の部分が印刷された用紙に印刷する第２の印刷処理とを前記印刷手段に実行させる
印刷システム。
【請求項９】
複数ページの画像を１枚の用紙に印刷する要求を受け付け、
前記要求に応じて、前記複数ページの画像のそれぞれを第１の部分と第２の部分に分割し、
前記要求に応じて、前記複数ページの画像のそれぞれの前記第１の部分を用紙に印刷する第１の印刷処理を印刷手段に実行させ、
前記第１の印刷処理の後、所定の操作に応じて、前記複数ページの画像のそれぞれの前記第２の部分を当該第１の印刷処理により前記第１の部分が印刷された用紙に印刷する第２の印刷処理を前記印刷手段に実行させる
印刷制御方法。
【請求項１０】
コンピュータに、
複数ページの画像を１枚の用紙に印刷する要求を受け付ける処理と、
前記要求に応じて、前記複数ページの画像のそれぞれを第１の部分と第２の部分に分割する処理と、
前記要求に応じて、前記複数ページの画像のそれぞれの前記第１の部分を用紙に印刷する第１の印刷処理を印刷手段に実行させる処理と、
前記第１の印刷処理の後、所定の操作に応じて、前記複数ページの画像のそれぞれの前記第２の部分を当該第１の印刷処理により前記第１の部分が印刷された用紙に印刷する第２の印刷処理を前記印刷手段に実行させる処理と
を実行させるためのプログラム。
【発明の詳細な説明】
【技術分野】
【０００１】
本開示は、印刷制御装置等に関する。
【背景技術】
【０００２】
プリンタ等の印刷装置において、資源の節約が求められる場合がある。ここでいう資源は、用紙等の記録媒体やトナー、インク等の色材である。例えば、特許文献１は、印刷不要な部分が削除された印刷プレビュー画像を印刷することによって、プレビューにおける色材の無駄な消費を抑える技術を開示している。また、特許文献２は、印刷すべき部分から印刷不要な部分を除いた印刷データを生成し、生成された印刷データに基づいて印刷する技術を開示している。
【先行技術文献】
【特許文献】
【０００３】
【特許文献１】特開２００６−２７７０５６号公報
【特許文献２】特開２０１１−１６８７５０号公報
【発明の概要】
【発明が解決しようとする課題】
【０００４】
特許文献１、２に開示された技術は、いずれも、オリジナルの画像とは異なる画像を用紙に印刷することを要する。例えば、特許文献１に開示された技術によれば、印刷不要な部分が削除された画像を用紙に印刷できるが、プレビュー後にオリジナルの画像を別の用紙に印刷する必要がある。
【０００５】
本開示の例示的な目的の一つは、本刷りの前に試し刷りを実行する場合における資源の使用量を減らすことである。
【課題を解決するための手段】
【０００６】
本開示の一態様に係る印刷制御装置は、複数ページの画像を１枚の用紙に印刷する要求を受け付ける受付手段と、前記要求に応じて、前記複数ページの画像のそれぞれを第１の部分と第２の部分に分割する加工手段と、前記要求に応じて印刷手段に印刷処理を実行させる制御手段とを備え、前記制御手段は、前記複数の画像のそれぞれの前記第１の部分を用紙に印刷する第１の印刷処理と、前記第１の印刷処理の後、所定の操作に応じて、前記複数の画像のそれぞれの前記第２の部分を当該第１の印刷処理により前記第１の部分が印刷された用紙に印刷する第２の印刷処理とを前記印刷手段に実行させる。
【０００７】
本開示の別の態様に係る印刷装置は、複数ページの画像を１枚の用紙に印刷する要求を受け付ける受付手段と、前記要求に応じて、前記複数ページの画像のそれぞれを第１の部分と第２の部分に分割する加工手段と、前記要求に応じて前記用紙に画像を印刷する印刷手段とを備え、前記印刷手段は、前記複数の画像のそれぞれの前記第１の部分を用紙に印刷する第１の印刷処理と、前記第１の印刷処理の後、所定の操作に応じて、前記複数の画像のそれぞれの前記第２の部分を前記第１の印刷処理により前記第１の部分が印刷された用紙に印刷する第２の印刷処理とを実行する。
【０００８】
本開示のさらに別の態様に係る印刷システムは、印刷装置と印刷制御装置とを備え、前記印刷装置は、用紙に画像を印刷する印刷手段を備え、前記印刷制御装置は、複数ページの画像を１枚の用紙に印刷する要求を受け付ける受付手段と、前記要求に応じて、前記複数ページの画像のそれぞれを第１の部分と第２の部分に分割する加工手段と、前記要求に応じて前記印刷装置に印刷処理を実行させる制御手段とを備え、前記制御手段は、前記複数の画像のそれぞれの前記第１の部分を用紙に印刷する第１の印刷処理と、前記第１の印刷処理の後、所定の操作に応じて、前記複数の画像のそれぞれの前記第２の部分を前記第１の印刷処理により前記第１の部分が印刷された用紙に印刷する第２の印刷処理とを前記印刷手段に実行させる。
【０００９】
本開示のさらに別の態様に係る印刷方法は、複数ページの画像を１枚の用紙に印刷する要求を受け付け、前記要求に応じて、前記複数ページの画像のそれぞれを第１の部分と第２の部分に分割し、前記要求に応じて、前記複数の画像のそれぞれの前記第１の部分を用紙に印刷する第１の印刷処理を印刷手段に実行させ、前記第１の印刷処理の後、所定の操作に応じて、前記複数の画像のそれぞれの前記第２の部分を当該第１の印刷処理により前記第１の部分が印刷された用紙に印刷する第２の印刷処理を前記印刷手段に実行させる。
【００１０】
本開示のさらに別の態様に係るプログラムは、コンピュータに、複数ページの画像を１枚の用紙に印刷する要求を受け付ける処理と、前記要求に応じて、前記複数ページの画像のそれぞれを第１の部分と第２の部分に分割する処理と、前記要求に応じて、前記複数の画像のそれぞれの前記第１の部分を用紙に印刷する第１の印刷処理を印刷手段に実行させる処理と、前記第１の印刷処理の後、所定の操作に応じて、前記複数の画像のそれぞれの前記第２の部分を当該第１の印刷処理により前記第１の部分が印刷された用紙に印刷する第２の印刷処理を前記印刷手段に実行させる処理とを実行させる。
【発明の効果】
【００１１】
本開示によれば、本刷りの前に試し刷りを実行する場合における資源の使用量を減らすことが可能である。
【図面の簡単な説明】
【００１２】
【図１】図１は、印刷制御装置の構成の一例を示すブロック図である。
【図２】図２は、印刷制御処理が実行する処理の一例を示すフローチャートである。
【図３Ａ】図３Ａは、原画像を例示する図である。
【図３Ｂ】図３Ｂは、分割画像を例示する図である。
【図３Ｃ】図３Ｃは、第１の印刷処理により印刷される画像を例示する図である。
【図３Ｄ】図３Ｄは、第２の印刷処理により印刷される画像を例示する図である。
【図４】図４は、印刷システムの構成の一例を示すブロック図である。
【図５】図５は、プリンタドライバの構成の一例を示すブロック図である。
【図６】図６は、印刷システムにおける動作の一例を示すシーケンスチャートである。
【図７】図７は、印刷装置の構成の一例を示すブロック図である。
【図８】図８は、印刷装置の構成の別の例を示すブロック図である。
【図９】図９は、コンピュータ装置のハードウェア構成の一例を示すブロック図である。
【発明を実施するための形態】
【００１３】
［第１実施形態］
図１は、一実施形態に係る印刷制御装置１００の構成を示すブロック図である。印刷制御装置１００は、印刷装置による印刷を制御するための装置である。一の態様において、印刷制御装置１００は、プリンタドライバ（又は仮想プリンタドライバ）とも呼ばれる。印刷制御装置１００は、印刷装置の一部であってもよいし、印刷装置とは別の装置であってもよい。
【００１４】
ここにおいて、印刷とは、色材を用いて所定の記録媒体に画像を形成（すなわち可視的に記録）することをいう。ここでいう色材は、記録方式に依存するが、例えば、トナーやインクである。記録方式には、熱転写方式、インクジェット方式、電子写真方式などがある。本実施形態に係る印刷装置の記録方式は、印刷制御装置１００による制御が適用可能であれば、特定の方式に限定されない。ここでいう印刷は、モノクロ印刷とカラー印刷のいずれであってもよい。
【００１５】
また、記録媒体は、一般的には用紙と呼ばれるシート状物であるが、その材質や形状は必ずしも限定されない。例えば、記録媒体は、プラスチックや金属のシートであってもよい。ただし、本実施形態における記録媒体は、所定サイズの用紙であるとする。
【００１６】
印刷制御装置１００は、受付部１１０と、加工部１２０と、制御部１３０とを少なくとも含む。印刷制御装置１００は、他の構成要素を含んでもよい。印刷制御装置１００は、ソフトウェア、ハードウェア及びこれらの組み合わせのいずれによっても構成され得る。
【００１７】
受付部１１０は、画像を用紙に印刷する要求を受け付ける。以下においては、この要求のことを「印刷要求」ともいう。受付部１１０は、ユーザの操作に応じて、又は他の装置を介して、印刷要求を受け付ける。印刷要求は、いわゆるジョブ（印刷ジョブ）を含み得る。
【００１８】
本実施形態の印刷要求は、複数ページの画像を１枚の用紙に印刷する要求を含む。このような印刷要求は、具体的には、いわゆる両面印刷の要求や、本来複数ページである画像を本来のページ数より少ない枚数の用紙に印刷する要求である。例えば、本実施形態の印刷要求は、Ａ４サイズ（２１０ｍｍ×２９７ｍｍ）２ページ分の画像を、半分のサイズに縮小して１枚のＡ４サイズの用紙の片面に割り付けて印刷する要求や、１枚のＡ３サイズ（２９７ｍｍ×４２０ｍｍ）の用紙の片面に割り付けて印刷する要求を含む。
【００１９】
加工部１２０は、受付部１１０により印刷要求が受け付けられた画像を加工する。ここでいう加工は、１ページの画像を複数の部分に分割する分割加工を少なくとも含む。また、加工部１２０による加工は、分割加工のほか、周知の画像処理を適用した加工（各種の補正処理、フィルタ処理など）を含み得る。
【００２０】
分割加工は、オリジナルの画像（以下「原画像」ともいう。）を第１の部分と第２の部分に分割する加工である。第１の部分は、原画像の少なくとも一部である。また、第２の部分は、原画像のうちの第１の部分を除く部分を少なくとも含む。ただし、第２の部分は、第１の部分と重複する部分があってもよい。以下においては、第１の部分又は第２の部分に相当する画像のことを、原画像と区別するために「分割画像」ともいう。
【００２１】
制御部１３０は、印刷装置による印刷処理を制御する。制御部１３０は、受付部１１０により受け付けられた印刷要求に応じた印刷処理を印刷装置に実行させる。制御部１３０は、加工部１２０により分割加工が実行された場合には、第１の部分に応じた印刷処理と第２の部分に応じた印刷処理の２回の印刷処理を印刷装置に実行させる。
【００２２】
図２は、印刷制御処理１００が実行する処理を示すフローチャートである。ステップＳ１１において、受付部１１０は、複数ページの画像を１枚の用紙に印刷することを示す印刷要求を受け付ける。この印刷要求に応じて、加工部１２０は、ステップＳ１２において、分割加工を含む加工処理を実行する。
【００２３】
また、この印刷要求に応じて、制御部１３０は、ステップＳ１３において、複数ページの第１の部分を１枚分の用紙に割り付けて印刷する第１の印刷処理を印刷装置に実行させる。また、制御部１３０は、ステップＳ１４において、複数ページの第２の部分を１枚分の用紙に割り付けて印刷する第２の印刷処理を印刷装置に実行させる。
【００２４】
印刷装置は、第１の印刷処理と第２の印刷処理とを同じ用紙に対して実行する。すなわち、印刷装置は、第１の印刷処理と第２の印刷処理とによって用紙に原画像が形成されるように印刷を実行する。換言すれば、印刷装置は、分割された原画像を再構成する。
【００２５】
図３Ａ〜図３Ｄは、本実施形態による加工処理及び印刷処理を説明するための図である。これらの図には、２ページ分の画像を１枚の用紙に印刷する場合が例示される。図３Ａは、第１のページの原画像ＩＭ０１と、第２の部分の原画像ＩＭ０２とを示す。
【００２６】
図３Ｂは、原画像ＩＭ０１、ＩＭ０２が分割された後の画像を示す。原画像ＩＭ０１は、分割画像ＩＭ１１と分割画像ＩＭ１２とに分割される。分割画像ＩＭ１１は、ここでは、原画像ＩＭ０１の上半分であるとする。同様に、分割画像ＩＭ１２は、ここでは、原画像ＩＭ０１の下半分であるとする。原画像ＩＭ０２も、原画像ＩＭ０１と同様に、分割画像ＩＭ２１と分割画像ＩＭ２２とに分割される。
【００２７】
図３Ｃは、第１の印刷処理により用紙Ｐ１に印刷される画像ＩＭ１を示す。画像ＩＭ１は、分割画像ＩＭ１１及びＩＭ２１を含む画像である。図３Ｄは、第２の印刷処理により用紙Ｐ１に印刷される画像ＩＭ２を示す。画像ＩＭ２は、分割画像ＩＭ１２及びＩＭ２２を含む画像である。
【００２８】
第２の印刷処理に際し、用紙Ｐ１には、第１の印刷処理によって画像ＩＭ１が既に印刷されている。したがって、用紙Ｐ１には、第２の印刷処理の後、原画像ＩＭ０１及びＩＭ０２が再現される。
【００２９】
以上に説明されたとおり、本実施形態の印刷制御装置１００は、複数ページの原画像を、第１の部分に相当する画像を印刷する第１の印刷処理と第２の部分に相当する画像を印刷する第２の印刷処理とに分けて印刷装置に印刷させる構成を有する。この構成により、印刷装置は、第１の印刷処理を試し刷りに用い、第２の印刷処理を本刷りに用いることが可能である。
【００３０】
試し刷りと本刷りに同じ用紙を使用することは、試し刷り（テスト印刷）と本刷りとで違う用紙を用いる場合に比べ、一連の印刷における用紙の使用量を減らすことを可能にする。また、試し刷りにおいて第１の部分を印刷し、第２の部分を印刷しないことは、試し刷りにおいて第２の部分を印刷する場合に比べ、試し刷りにおける色材の使用量を減らすことを可能にする。
【００３１】
複数ページの画像を１枚の用紙に印刷する場合、それぞれのページがユーザの意図と異なる向きや順番で印刷される可能性がある。このような場合、ユーザは、それぞれのページが意図した向きや順番で印刷されているか確認する必要がある。また、ユーザは、用紙に印刷された場合の画像の色味（微妙な色加減）を確認したい場合には、画像をディスプレイに表示するだけでなく実際に用紙に印刷してみる必要がある。試し刷りは、このような必要性から行われる。
【００３２】
しかし、試し刷りを実行する場合、通常は、本刷りとは別の用紙が用いられる。すなわち、通常の試し刷りでは、いわゆる損紙（不用の紙）が発生する。試し刷りに使用された用紙は、資源の節約という観点でみれば、無駄であるといえる。
【００３３】
本実施形態に係る印刷処理によれば、ユーザは、試し刷りにおいて自らの意図どおりに画像が印刷された場合には、試し刷りに用いた用紙をそのまま本刷りにも用いることが可能である。この場合、試し刷りに用いた用紙は、損紙にならない。その一方で、試し刷りが部分的であったとしても、試し刷りの本来の目的を達成することは可能である。
【００３４】
［第２実施形態］
図４は、別の実施形態に係る印刷システム２００の構成を示すブロック図である。印刷システム２００は、クライアント装置２１０と、プリンタドライバ２２０と、プリンタ２３０とを含む。クライアント装置２１０、プリンタドライバ２２０及びプリンタ２３０は、例えば、有線又は無線のネットワークによって通信可能に接続される。
【００３５】
なお、以降の実施形態において、第１実施形態に記載された用語と同一の用語は、特に定義又は説明がある場合を除き、第１実施形態と同様の意味で用いられる。また、以降の実施形態において第１実施形態と同一の符号を付された構成要素は、第１実施形態と同様の構成を少なくとも有する。
【００３６】
クライアント装置２１０は、プリンタドライバ２２０に印刷要求を送信する。クライアント装置２１０は、キーボード等の入力装置を有し、ユーザの操作を受け付ける。クライアント装置２１０は、１又は複数ページの文書を作成するアプリケーションプログラムを実行可能であってもよい。クライアント装置２１０は、例えば、パーソナルコンピュータやスマートフォンである。
【００３７】
プリンタドライバ２２０は、プリンタ２３０による印刷処理を制御する。プリンタドライバ２２０は、クライアント装置２１０から送信された印刷要求に応じた印刷処理をプリンタ２３０に実行させる。プリンタドライバ２２０は、独立した装置ではなく、クライアント装置２１０又はプリンタ２３０の一部として構成されてもよい。プリンタドライバ２２０は、第１実施形態の印刷制御装置１００の一例に相当する。
【００３８】
図５は、プリンタドライバ２２０の構成を示すブロック図である。プリンタドライバ２２０は、受付部１１０、加工部１２０及び制御部１３０に加え、記録部２２１とデータストレージ部２２２とを含む。記録部２２１は、加工部１２０により加工された画像を表す印刷データをデータストレージ部２２２に記録する。データストレージ部２２２は、ハードディスク等の記憶媒体を含み、印刷データを記憶する。データストレージ部２２２は、プリンタドライバ２２０とは別の装置（例えばプリンタ２３０）に含まれてもよい。
【００３９】
本実施形態の印刷データは、第１の部分に相当する印刷データと第２の部分に相当する印刷データとを含む。以下においては、説明の便宜上、第１の部分に相当する印刷データを「第１の印刷データ」ともいう。同様に、第２の部分に相当する印刷データを、以下においては「第２の印刷データ」ともいう。
【００４０】
プリンタ２３０は、所定の記録方式で印刷処理を実行する印刷装置である。プリンタ２３０の記録方式は、特に限定されない。プリンタ２３０は、同一の用紙に複数回の印刷処理が実行できるように構成されている。例えば、プリンタ２３０は、印刷処理が実行された用紙が用紙トレイ（いわゆる手差しトレイを含む。）にセットされた場合に、当該用紙に対して印刷処理を再度実行する。
【００４１】
印刷システム２００の構成は、以上のとおりである。この構成のもと、ユーザは、クライアント装置２１０を用いて、プリンタ２３０に印刷処理を要求する。本実施形態の印刷要求は、試し刷りを要求する第１の印刷要求と、試し刷り後に本刷りを要求する第２の印刷要求とを少なくとも含む。また、本実施形態の印刷要求は、試し刷りを伴わない印刷処理を実行する要求を含んでもよい。プリンタドライバ２２０（より詳細には制御部１３０）は、印刷要求に基づいて印刷対象の画像を判定する機能を有する。
【００４２】
図６は、印刷システム２００における動作を示すシーケンスチャートである。ステップＳ２１において、クライアント装置２１０は、所定の複数ページの画像を用いた第１の印刷要求をプリンタドライバ２２０に送信する。プリンタドライバ２２０は、この第１の印刷要求を受信する。ステップＳ２２において、プリンタドライバ２２０は、第１の印刷要求に応じて加工処理を実行し、第１の印刷データと第２の印刷データを生成及び記録する。
【００４３】
ステップＳ２３において、プリンタドライバ２２０は、第１の印刷データを用いた第１の印刷処理をプリンタ２３０に実行させる。このとき、プリンタドライバ２２０は、ステップＳ２１において送信された印刷要求が第１の印刷要求であることから、印刷対象が第１の印刷データであると判断することができる。ステップＳ２４において、プリンタ２３０は、第１の印刷データを用いた第１の印刷処理を実行する。
【００４４】
ステップＳ２４の後、ユーザは、試し刷り、すなわち第１の印刷処理によって第１の部分の分割画像が印刷された用紙を目視にて確認する。ユーザは、各ページの向きや順序が適切であるかどうかを判断する。ユーザは、試し刷りが適切に実行されたと判断した場合には、試し刷りに用いられた用紙をプリンタ２３０にセットし、クライアント装置２１０に対して所定の操作を実行する。クライアント装置２１０は、ステップＳ２５において、この操作を受け付ける。
【００４５】
この操作に応じて、クライアント装置２１０は、ステップＳ２６において第２の印刷要求をプリンタドライバ２２０に送信する。プリンタドライバ２２０は、第２の印刷要求を受信したら、ステップＳ２７において、ステップＳ２２において生成された第２の印刷データを用いた第２の印刷処理をプリンタ２３０に実行させる。
【００４６】
プリンタ２３０は、ステップＳ２８において、第２の印刷データを用いた第２の印刷処理を実行する。換言すれば、プリンタ２３０は、本刷りを実行する。このとき、プリンタ２３０は、試し刷りに用いられた用紙を用いて第２の印刷処理を実行する。ステップＳ２９において、プリンタドライバ２２０は、印刷処理が終了した第１の印刷データ及び第２の印刷データをデータストレージ部２２２から削除する。
【００４７】
なお、試し刷りが適切に実行されなかった場合、ユーザは、クライアント装置２１０に対してその旨を示す操作を行ってもよい。プリンタドライバ２２０は、この操作を受け付けた場合、プリンタ２３０に第２の印刷処理を実行させることなく第１の印刷データ及び第２の印刷データをデータストレージ部２２２から削除してもよい。
【００４８】
本実施形態の印刷システム２００は、第１実施形態の印刷制御装置１００と同様の構成を少なくとも有する。そのため。印刷システム２００は、印刷制御装置１００と同様の効果を奏することができる。また、印刷システム２００は、第１の印刷要求に応じて第２の印刷データを第１の印刷データとともに生成及び記録することにより、第２の印刷要求に応じて第２の印刷データを用いた第２の印刷処理を実行することが可能である。
【００４９】
［第３実施形態］
図７は、さらに別の実施形態に係る印刷装置３００の構成を示すブロック図である。印刷装置３００は、受付部３１０と、加工部３２０と、印刷部３３０とを少なくとも含む。
【００５０】
受付部３１０は、第１実施形態の受付部１１０と同様の構成を有する。受付部３１０は、例えば、タッチスクリーンディスプレイによってユーザから所定の操作を受け付けることによって印刷要求を受け付ける。あるいは、受付部３１０は、他の装置から印刷要求を受け付けてもよい。また、加工部３２０は、第１実施形態の加工部１２０と同様の構成を有する。
【００５１】
印刷部３３０は、所定の記録方式により画像を用紙に印刷する。印刷部３３０は、例えば、用紙を供給する供給部を含み、供給された用紙に画像を印刷する。印刷部３３０は、両面印刷が実行できるように構成されてもよい。なお、本実施形態においても、印刷部３３０の記録方式は、特定の記録方式に限定されない。
【００５２】
本実施形態の印刷装置３００は、複数ページの原画像を、第１の部分に相当する画像を印刷する第１の印刷処理と第２の部分に相当する画像を印刷する第２の印刷処理とに分けて印刷する構成を有する。この構成により、印刷装置３００は、上述された実施形態と同様に、第１の印刷処理を試し刷りに用い、第２の印刷処理を本刷りに用いることが可能である。
［変形例］
本開示は、上述された第１実施形態〜第３実施形態に限定されない。本開示は、当業者が把握し得る変形又は応用を適用した形態を含み得る。例えば、本開示は、以下に記載される変形例を含む。また、本開示は、本明細書に記載された事項を必要に応じて適宜に組み合わせた形態を含み得る。例えば、特定の実施形態を用いて説明された事項は、矛盾を生じない範囲において、他の実施形態に対しても適用され得る。
【００５３】
（変形例１）
図８は、印刷装置３００の別の構成例を示すブロック図である。印刷装置３００は、判定部３４０を含む点において第３実施形態の印刷装置３００（図７参照）と異なる。印刷装置３００は、例えば、スキャナを搭載したプリンタである。
【００５４】
判定部３４０は、用紙に形成された画像を判定する。より詳細には、判定部３４０は、用紙が第１の印刷処理が実行された用紙、すなわち第１の部分が印刷された用紙であるかを判定する。例えば、判定部３４０は、用紙の表面から読み取られた画像と第１の印刷データが示す画像とを比較することにより、当該用紙が第１の印刷処理が実行された用紙であるか否かを判断することができる。
【００５５】
判定部３４０は、例えば、ＡＤＦ（Automatic Document Feeder）を有するスキャナによって用紙表面を光学的に読み取ることによって判定を実行する。あるいは、判定部３４０は、用紙の搬送経路上（又は用紙トレイの内部）に設けられたイメージセンサによって用紙表面を読み取ってもよい。
【００５６】
印刷部３３０は、印刷される用紙、すなわちこれから印刷処理（第２の印刷処理）が実行される用紙に第１の部分が印刷されていると判定部３４０が判定した場合には、第２の印刷処理を実行する。一方、印刷部３３０は、印刷される用紙に第１の部分が印刷されていなかった場合には、第２の印刷処理を実行しない。この場合、印刷装置３００は、用紙が適切でないことをユーザに報知するための所定の処理を実行してもよい。
【００５７】
なお、判定部３４０は、用紙に形成された画像の向き（上下又は表裏）を判定してもよい。印刷部３３０は、第２の印刷処理において、判定部３４０により判定された画像の向きに応じて、第２の印刷データが表す画像の向きを変更して用紙に印刷してもよい。このようにすれば、印刷装置３００は、ユーザが用紙を本来の向きとは反対の向きにセットした場合であっても、分割画像が原画像を再構成するように印刷処理を実行することができる。
【００５８】
（変形例２）
加工部１２０は、原画像のうちのあらかじめ決められた位置を第１の部分としてもよい。あるいは、加工部１２０は、第１の部分（又は第２の部分）を原画像に基づいて決定してもよい。例えば、加工部１２０は、原画像のうちの所定の条件を満たす領域を第１の領域として抽出してもよい。
【００５９】
一の態様において、加工部１２０は、面積が第２の部分の面積よりも小さくなるように第１の部分を抽出する。このようにすれば、第１の部分の面積が第２の部分の面積以上である場合に比べ、試し刷りが失敗した場合の色材の使用量を減らすことが可能である。
【００６０】
あるいは、加工部１２０は、色材の使用量が第２の部分よりも少なくなるように第１の部分を抽出する。例えば、加工部１２０は、原画像を２以上の領域に分割してそれぞれの領域の色材の使用量を算出し、その使用量が最も少ない領域を第１の部分として用いてもよい。
【００６１】
また、加工部１２０は、原画像にモノクロの領域とカラーの領域とが含まれる場合、モノクロの領域を第１の部分としてもよい。このようにすれば、試し刷りをモノクロ印刷にすることが可能である。
【００６２】
また、加工部１２０は、原画像から特徴的な領域を抽出し、当該領域を第１の部分としてもよい。ここでいう特徴的な領域は、周知技術を用いて抽出される。例えば、加工部１２０は、ＯＣＲ（Optical Character Recognition）技術を用いて原画像のうちの文字が表記される領域を抽出して第１の部分としてもよい。この場合において、加工部１２０は、特定の文字が表記される領域のみを抽出して第１の部分としてもよい。
【００６３】
例えば、各ページの特定の位置にページ番号が表記される場合、加工部１２０は、ページ番号が表記される領域を第１の部分として抽出してもよい。あるいは、加工部１２０は、ＯＣＲ技術によって認識された文字のうち所定のサイズ以上の文字が表記される領域を第１の部分として抽出してもよい。
【００６４】
（変形例３）
複数枚の用紙への印刷を要求する印刷要求が受け付けられた場合、加工部１２０は、当該複数枚より少ない枚数分（例えば１枚分）の原画像のみに分割加工を実行してもよい。この場合、制御部１３０は、第１の印刷処理を、分割加工が実行された枚数分のみ実行する。このようにすれば、試し刷りが失敗した場合の色材及び用紙の使用量を減らすことが可能である。また、このようにすれば、試し刷りを全部実行する場合に比べ、試し刷りに要する時間を少なくすることも可能である。
【００６５】
（変形例４）
本開示に係る各装置（印刷制御装置１００、プリンタドライバ２２０、印刷装置３００など）の具体的なハードウェア構成は、さまざまなバリエーションが含まれ、特定の構成に限定されない。例えば、各装置は、ソフトウェアを用いて実現されてもよく、複数のハードウェアを用いて各種処理を分担するように構成されてもよい。
【００６６】
図９は、各装置を実現するコンピュータ装置４００のハードウェア構成の一例を示すブロック図である。コンピュータ装置４００は、ＣＰＵ（Central Processing Unit）４０１と、ＲＯＭ（Read Only Memory）４０２と、ＲＡＭ（Random Access Memory）４０３と、記憶装置４０４と、ドライブ装置４０５と、通信インタフェース４０６と、入出力インタフェース４０７とを備える。本開示に係る各装置は、図９に示される構成（又はその一部）によって実現され得る。
【００６７】
ＣＰＵ４０１は、ＲＡＭ４０３を用いてプログラム４０８を実行する。プログラム４０８は、ＲＯＭ４０２に記憶されていてもよい。また、プログラム４０８は、メモリカード等の記録媒体４０９に記録され、ドライブ装置４０５によって読み出されてもよいし、外部装置からネットワーク４１０を介して送信されてもよい。通信インタフェース４０６は、ネットワーク４１０を介して外部装置とデータをやり取りする。入出力インタフェース４０７は、周辺機器（入力装置、表示装置など）とデータをやり取りする。通信インタフェース４０６及び入出力インタフェース４０７は、データを取得又は出力する手段として機能することができる。
【００６８】
なお、各装置の構成要素は、単一の回路（プロセッサ等）によって構成されてもよいし、複数の回路の組み合わせによって構成されてもよい。ここでいう回路（circuitry）は、専用又は汎用のいずれであってもよい。
【００６９】
上述された実施形態において単体の装置として説明された構成は、複数の装置に分散して設けられてもよい。例えば、印刷制御装置１００又はデバイスドライバ２２０は、クラウドコンピューティング技術などを用いて、複数のコンピュータ装置によって実現されてもよい。
【符号の説明】
【００７０】
１００    印刷制御装置
１１０    受付部
１２０    加工部
１３０    制御部
２００    印刷システム
２１０    クライアント装置
２２０    プリンタドライバ
２２１    記録部
２２２    データストレージ部
２３０    プリンタ
３００    印刷装置
３１０    受付部
３２０    加工部
３３０    印刷部
３４０    判定部
４００    コンピュータ装置
【図１】
0006690353.tif 000002
【図２】
0006690353.tif 000003
【図３Ａ】
0006690353.tif 000004
【図３Ｂ】
0006690353.tif 000005
【図３Ｃ】
0006690353.tif 000006
【図３Ｄ】
0006690353.tif 000007
【図４】
0006690353.tif 000008
【図５】
0006690353.tif 000009
【図６】
0006690353.tif 000010
【図７】
0006690353.tif 000011
【図８】
0006690353.tif 000012
【図９】
0006690353.tif 000013